(57)【要約】      （修正有）【課題】図画を収容する額縁を提供する。【解決手段】額縁は前蓋１００および裏蓋２００を含む。前蓋１００は前側面１１０と、前側面１１０を取り囲む環状壁１２０とを有し、前蓋１００は前側面１１０の相対する側に位置する裏開口１０１を形成し、前側面１１０に窓１１１が設けられる。裏蓋２００は前蓋１００の裏開口１０１に固定され、裏蓋２００は前蓋１００内で窓１１１に向かって突出して裏枠２２０を形成する。図画１０は前蓋１００および裏枠２２０の間に挟持され、さらに窓１１１内に露出する。したがって、この額縁は組立および壁掛けが容易である。【選択図】図１
0003221045.tif 000002
【実用新案登録請求の範囲】
【請求項１】
図画を収容する額縁であって、
前側面と、該前側面を取り囲む環状壁とを有し、該前側面の相対する側に位置する裏開口を形成し、該前側面に窓が設けられる前蓋と；
該前蓋の裏開口に固定され、該前蓋内で該窓に向かって突出して裏枠を形成し、前記図画は該前蓋および該裏枠の間に挟持され、さらに該窓内に露出する裏蓋と；を含む額縁。
【請求項２】
該裏蓋が裏板を有し、該裏板は該裏開口の一部分を覆う、請求項１に記載の額縁。
【請求項３】
該裏枠が環状を呈し、該裏板における該裏枠が取り囲む範囲内に凹部が形成される、請求項２に記載の額縁。
【請求項４】
該裏開口内の相対する一側に、間隔を開けて配置される１対の裏蓋がそれぞれ固定され、該対の裏蓋の該対の裏枠は相対して配置される、請求項１に記載の額縁。
【請求項５】
該裏枠は環状を呈し、該対の裏枠および該環状壁が取り囲んで凹部を形成する、請求項４に記載の額縁。
【請求項６】
該裏蓋および該環状壁が相対して嵌合し、該環状壁は該裏蓋を取り囲む、請求項１に記載の額縁。
【請求項７】
該裏板の外側面に接着材が設けられる、請求項２に記載の額縁。
【請求項８】
該環状壁の内側面に複数のスナップが突設され、各該スナップはそれぞれ該裏蓋の縁部に係着される、請求項１に記載の額縁。
【請求項９】
該裏蓋の縁部に、該スナップと対応して係着する複数のスナップ溝が設けられる、請求項８に記載の額縁。
【請求項１０】
該裏蓋の縁部に複数のスナップが突設され、各該スナップはそれぞれ環状壁の内側面に係着される、請求項１に記載の額縁。
【請求項１１】
該スナップは弾性アームを介して該裏蓋の縁部に接続される、請求項１０に記載の額縁。
【請求項１２】
該弾性アームは該裏蓋から該前蓋に向かって延伸し、さらに屈曲、延伸してＵ状を呈し、該スナップは該弾性アームの末端の一側に突出して形成される、請求項１１に記載の額縁。
【請求項１３】
該環状壁の内側面および該裏蓋の縁部に、対応して相互に当接する定位ラッチがそれぞれ設けられる、請求項１に記載の額縁。
【考案の詳細な説明】
【技術分野】
【０００１】
本考案は額縁に関し、特に係着組立式の額縁である。
【背景技術】
【０００２】
既存の額縁の多くは木製または金属製であり、図画を画板に固定してから額縁に取り付け、額装を完成させる必要がある。したがって多くは専門スタッフが額装し、一般の使用者が自分で額装するのは比較的難しい。さらに、木製または金属製の額縁は重量が重いため、フックまたは吊り紐の強度が不足している場合、額縁は容易に落下し、使用者が絵を掛けるとき比較的不便である。
【０００３】
このことを考慮して、本考案者は上記既存技術に対して鋭意研究を重ね、さらに学理的な利用を組み合わせ、上記の問題点の解決に尽力することは、本考案者の改良の目標となっている。
【考案の概要】
【考案が解決しようとする課題】
【０００４】
本考案は、係着組立式の額縁を提供する。
【課題を解決するための手段】
【０００５】
本考案は図画を収容する額縁を提供し、額縁は前蓋および裏蓋を含む。前蓋は前側面と、前側面を取り囲む環状壁とを有し、前蓋は前側面の相対する側に位置する裏開口を形成し、前側面に窓が設けられる。裏蓋は前蓋の裏開口に固定され、裏蓋は前蓋内で窓に向かって突出して裏枠を形成する。前記図画は前蓋および裏枠の間に挟持され、さらに窓内に露出する。
【０００６】
本考案の額縁は、その裏蓋が裏板を有し、裏板は裏開口の一部分を覆う。裏枠は環状を呈し、裏板における裏枠が取り囲む範囲内に凹部が形成される。
【０００７】
本考案の額縁は、裏開口内の相対する一側に、間隔を開けて配置される１対の裏蓋がそれぞれ固定され、該対の裏蓋の該対の裏枠は相対して配置される。裏枠および環状壁が取り囲んで凹部を形成する。
【０００８】
本考案の額縁は、裏蓋および環状壁が相対して嵌合し、環状壁は裏蓋を取り囲む。
【０００９】
本考案の額縁は、裏板の外側面に接着材が設けられる。
【００１０】
本考案の額縁は、環状壁の内側面に複数のスナップが突設され、各スナップはそれぞれ裏蓋の縁部に係着される。その裏蓋の縁部に、該スナップと対応して係着する複数のスナップ溝が設けられる。
【００１１】
本考案の額縁は、その裏蓋の縁部に複数のスナップが突設され、各スナップはそれぞれ環状壁の内側面に係着される。スナップは、弾性アームを介して裏蓋の縁部に接続される。弾性アームは裏蓋から前蓋に向かって延伸し、さらに屈曲、延伸してＵ状を呈し、スナップは弾性アームの末端の一側に突出して形成される。
【００１２】
本考案の額縁は、環状壁の内側面および裏蓋の縁部に、対応して相互に当接する定位ラッチがそれぞれ設けられる。
【００１３】
本考案の額縁は前蓋および裏蓋が相互に係着して構成され、使用者は図画を前蓋に嵌め込んでから裏蓋を前蓋に係入すれば、簡単、迅速に額装を完成することができる。さらに、本考案の額縁は軽く、掛けるのが容易であり、壁面にくっつけて掛けることができる。
【図面の簡単な説明】
【００１４】
【図１】図１は、本考案の第１実施例における額縁の立体分解概要図である。
【図２】図２は、本考案の第１実施例における額縁の使用状態の概要図である。
【図３】図３は、図１の部分拡大図である。
【図４】図４は、図１の部分拡大図である。
【図５】図５は、図２の部分拡大概要図である。
【図６】図６は、本考案の第１実施例における額縁の断面図である。
【図７】図７は、本考案の第１実施例における額縁の断面図である。
【図８】図８は、本考案の第１実施例における額縁の別の使用状態の概要図である。
【図９】図９は、本考案の第２実施例における額縁の立体分解概要図である。
【図１０】図１０は、本考案の第２実施例における額縁の立体概要図である。
【図１１】図１１は、本考案の第３実施例における額縁の概要図である。
【図１２】図１２は、本考案の第３実施例における額縁の概要図である。
【考案を実施するための形態】
【００１５】
図１から図５を参照されたい。本考案の第１実施例は、図画１０を収容する額縁を提供し、本実施例において、本考案の額縁は、好ましくは前蓋１００および裏蓋２００を含む。このうち、前蓋１００および裏蓋２００はいずれもプラスチック製の筐体である。
【００１６】
前蓋１００は前側面１１０と、前側面１１０を取り囲む環状壁１２０とを有し、前蓋１００は前側面１１０の相対する側に位置する裏開口１０１を形成し、前側面１１０に窓１１１が設けられる。環状壁１２０が額縁の厚さを形成し、額縁をより分厚く立派にする。
【００１７】
裏蓋２００は前蓋１００の裏開口１０１に固定され、裏蓋２００は前蓋１００内で窓１１１に向かって突出して裏枠２２０を形成する。図画１０の正面は窓１１１に対応して配置され、裏枠２２０は図画１０の裏面を支持する。これにより、図画１０は前蓋１００および裏枠２２０の間に挟持、固定され、さらに窓１１１内に露出する。本実施例において、前蓋１００および裏蓋２００の固定方式について、具体的に以下のように説明する。
【００１８】
裏蓋２００は裏板２１０を有し、裏板２１０は裏開口１０１の一部分を覆う。裏蓋２００および環状壁１２０は相対して嵌合し、環状壁１２０は裏蓋２００を取り囲む。本実施例において、裏枠２２０は矩形の環状を呈し、裏板２１０における裏枠２２０が取り囲んだ範囲内に矩形の凹部２０１が形成される。
【００１９】
環状壁１２０の内側面に複数のスナップ１３０が突設され、各スナップ１３０はそれぞれ裏蓋２００の縁部に係着され、具体的に、裏蓋２００の縁部に、該スナップと対応して係着する複数のスナップ溝２３０が設けられる。スナップ１３０はアンダーカット状を呈し、先端１３１と、フック部１３２と、先端１３１およびフック部１３２間を接続する斜面１３３とを有し、スナップ１３０の先端１３１は窓１１１に向かって配置される。裏蓋２００が前蓋１００の裏開口１０１に係入されるとき、先端１３１が先に裏開口１０１に進入し、続いて斜面１３３が前蓋１００に当接してスナップ１３０を弾性変形させ、フック部１３２が引き続き裏開口１０１に進入するのを許容する。フック部１３２が対応するスナップ溝２３０に入ると、フック部１３２はスナップ溝２３０に係着され、これにより裏蓋は前蓋１００から離れることはできない。
【００２０】
環状壁１２０の内側面および裏蓋２００の縁部に、それぞれ対応する定位ラッチ１４０／２４０が設けられる。環状壁１２０の内側面の定位ラッチ１４０が、裏蓋２００の縁部の対応する定位ラッチ２４０に当接するとき、前蓋１００および裏蓋２００間の相対位置を定位することにより、裏蓋２００の裏板２１０は前蓋１００の裏開口１０１にぴったりと合うことができ、したがって裏蓋２００は続けて前蓋１００内に入ることができない。本実施例において、対応する定位ラッチ１４０／２４０が当接するとき、好ましくはさらに相互に嵌合して固定されるが、本考案はこれに限定されない。
【００２１】
図１、図６、図７を参照されたい。前記裏板２１０の外側面に接着材２５０が設けられ、本実施例において、接着材２５０は例えば接着剤、面ファスナーまたは粘土でよい。接着材２５０で壁面２０に接着することにより、本考案の額縁を壁面２０に固定して掛けることができる。
【００２２】
図８を参照されたい。裏蓋２００の凹部２０１に、壁面２０のフック２１（フック２１は最も簡単に釘の形態で実現することができる）を挿入することができ、フック２１を凹部２０１の縁部に引っ掛けて、額縁を壁面２０に掛ける。フック２１は１つまたは複数でよく、さらにフック２１は図画１０の設置方向に基づいて、凹部２０１の縁部における対応する任意の位置に引っ掛けることができる。例えば、２つのフック２１を設置し、それぞれ凹部２０１における２つの角の内側、すなわち凹部２０１における１辺の２端に引っ掛け、これにより額縁を掛ける位置に定位することができる。
【００２３】
図９および図１０を参照されたい。本考案の第２実施例は額縁を提供し、前蓋１００および裏蓋２００を含む。本実例の額縁における前蓋１００の構造は、前記第１実施例と同じであるためここでは省略し、本実施例および第１実施例の異なる部分を以下に詳述する。
【００２４】
本実施例において、裏開口１０１内の相対する一側に、間隔を開けて配置される１対の裏蓋２００がそれぞれ固定され、各裏蓋２００に直線状の裏枠２２０がそれぞれ延伸して形成され、該対の裏蓋２００の該対の裏枠２２０は相対して配置される。これにより、該対の裏枠２２０および環状壁１２０が取り囲んで矩形の凹部２０１を形成する。
【００２５】
図１１および図１２を参照されたい。本考案の第３実施例は額縁を提供し、前蓋１００および裏蓋２００を含む。本実例の額縁における前蓋１００の構造は、前記第１実施例と同じであるためここでは省略し、本実施例および第１実施例の異なる部分を以下に詳述する。
【００２６】
本実施例において、第１実施例とは反対に、裏蓋２００の縁部に複数のスナップ１３０を突設し、各スナップ１３０を環状壁１２０の内側面のスナップ溝２３０にそれぞれ係着することもできる。少なくとも１つのスナップ１３０は弾性アーム１３４を介して裏蓋２００の縁部と接続され、本実施例において、裏蓋２００の相対する２側の縁部に１対のスナップ１３０が配置され、このうちの１側のスナップ１３０は弾性アーム１３４を介して裏蓋２００の縁部と接続される。具体的に、弾性アーム１３４は裏板２１０の縁部から裏板２１０に垂直に前蓋１００に向かって延伸し、さらに屈曲、延伸してＵ状を呈し、スナップ１３０は弾性アーム１３４の末端の一側に突出して形成され、前蓋１００の環状壁１２０の内側面に締結される。弾性アーム１３４を圧縮させて、スナップ１３０を裏板２１０の縁部に近づけると、スナップ１３０は前蓋１００から解放され、裏蓋２００を前蓋１００に取り付けるか、または前蓋１００から取り外すことができる。
【００２７】
本考案の額縁は、プラスチック製の前蓋１００および裏蓋２００が相互に係着して構成され、使用者は図画１０を前蓋１００に嵌め込んでから裏蓋２００を前蓋１００に係入すれば、簡単、迅速に額装を完成することができる。本考案のプラスチック製額縁は軽く、接着の方式で壁面２０に掛けることができるため、額縁を掛けるのに壁面２０を損傷する必要はない。さらに、裏蓋２００の凹部２０１にフック２１を挿入して、平らな壁面２０に容易に掛けることができる。
【００２８】
以上の記載は本考案の好ましい実施例に過ぎず、本考案の実用新案登録請求の範囲を限定しない。その他の本考案の趣旨を利用して同等に変化させたものは、いずれも本考案の実用新案登録請求の範囲に属するべきである。
【符号の説明】
【００２９】
１０  図画
２０  壁面
２１  フック
１００  前蓋
１０１  裏開口
１１０  前側面
１１１  窓
１２０  環状壁
１３０  スナップ
１３１  先端
１３２  フック部
１３３  斜面
１３４  弾性アーム
１４０  定位ラッチ
２００  裏蓋
２０１  凹部
２１０  裏板
２２０  裏枠
２３０  スナップ溝
２４０  定位ラッチ
２５０  接着材
【図１】
0003221045.tif 000003
【図２】
0003221045.tif 000004
【図３】
0003221045.tif 000005
【図４】
0003221045.tif 000006
【図５】
0003221045.tif 000007
【図６】
0003221045.tif 000008
【図７】
0003221045.tif 000009
【図８】
0003221045.tif 000010
【図９】
0003221045.tif 000011
【図１０】
0003221045.tif 000012
【図１１】
0003221045.tif 000013
【図１２】
0003221045.tif 000014
【手続補正書】
【提出日】平成31年2月22日(2019.2.22)
【手続補正１】
【補正対象書類名】実用新案登録請求の範囲
【補正対象項目名】全文
【補正方法】変更
【補正の内容】
【実用新案登録請求の範囲】
【請求項１】
図画を収容する額縁であって、
前側面と、該前側面を取り囲む環状壁とを有し、該前側面の相対する側に位置する裏開口を形成し、該前側面に窓が設けられる前蓋と；
該前蓋の裏開口に固定され、該前蓋内で該窓に向かって突出して裏枠を形成し、前記図画は該前蓋および該裏枠の間に挟持され、さらに該窓内に露出する裏蓋と；を含む額縁。
【請求項２】
該裏蓋が裏板を有し、該裏板は該裏開口の一部分を覆う、請求項１に記載の額縁。
【請求項３】
該裏枠が環状を呈し、該裏板における該裏枠が取り囲む範囲内に凹部が形成される、請求項２に記載の額縁。
【請求項４】
該裏開口内の相対する一側に、間隔を開けて配置される１対の裏蓋がそれぞれ固定され、該１対の裏蓋の１対の裏枠は相対して配置される、請求項１に記載の額縁。
【請求項５】
該裏枠は環状を呈し、該対の裏枠および該環状壁が取り囲んで凹部を形成する、請求項４に記載の額縁。
【請求項６】
該裏蓋および該環状壁が相対して嵌合し、該環状壁は該裏蓋を取り囲む、請求項１に記載の額縁。
【請求項７】
該裏板の外側面に接着材が設けられる、請求項２に記載の額縁。
【請求項８】
該環状壁の内側面に複数のスナップが突設され、各該スナップはそれぞれ該裏蓋の縁部に係着される、請求項１に記載の額縁。
【請求項９】
該裏蓋の縁部に、該スナップと対応して係着する複数のスナップ溝が設けられる、請求項８に記載の額縁。
【請求項１０】
該裏蓋の縁部に複数のスナップが突設され、各該スナップはそれぞれ環状壁の内側面に係着される、請求項１に記載の額縁。
【請求項１１】
該スナップは弾性アームを介して該裏蓋の縁部に接続される、請求項１０に記載の額縁。
【請求項１２】
該弾性アームは該裏蓋から該前蓋に向かって延伸し、さらに屈曲、延伸してＵ状を呈し、該スナップは該弾性アームの末端の一側に突出して形成される、請求項１１に記載の額縁。
【請求項１３】
該環状壁の内側面および該裏蓋の縁部に、対応して相互に当接する定位ラッチがそれぞれ設けられる、請求項１に記載の額縁。